(57)【特許請求の範囲】
【請求項１】
上方部材と下方部材との間に設けられ、引込み戸を収納部に収納する戸袋構造であって、
上端部が前記上方部材に当接し、下端部が前記下方部材に当接して、上下方向に延び、前記収納部を介して対向して設けられる一対の中方立と、
前記上方部材と前記下方部材との間に配置され、前記収納部の側壁部を形成する一対の板材とを備え、
前記一対の中方立のうち一方は、前記収納部に面する内壁と、前記収納部から前記板材の厚み方向に離れて設けられる外壁と、前記内壁と前記外壁とをつなぐ端壁とを含み、前記内壁と前記外壁との間に、前記引込み戸の引き出し方向に見て前記一対の板材のうち一方の端部を受け入れる開口を有し、
前記開口が前記一対の板材のうち一方の端部を受け入れた状態では、前記一対の中方立のうち一方の前記内壁、前記外壁および前記端壁は、前記一対の板材のうち一方の前方側端部の内面、外面および端面とそれぞれ対面し、
前記一対の中方立のうち他方は、断面視矩形形状の第１部材と、前記第１部材に固定され、前記一対の板材のうち他方を受け入れる断面視コの字形状の第２部材とを備える、戸袋構造。
【請求項２】
前記一対の中方立のうち一方は、前記外壁から前記内壁に向かって延び、前記一対の板材のうち一方の外面と当接する折り曲げ壁をさらに含み、前記開口の幅は、前記内壁と前記折り曲げ壁との間の間隔によって決定される、請求項１に記載の戸袋構造。
【請求項３】
前記開口の幅と、前記一対の板材のうち一方の厚みとは、略同一である、請求項１または２に記載の戸袋構造。
【請求項４】
前記一対の中方立のうち一方は、金属材料で形成される、請求項１〜３のいずれかに記載の戸袋構造。
【請求項５】
前記一対の中方立のうち他方は、前記第１部材が木製材料で形成され、前記第２部材が金属材料で形成される、請求項１〜４のいずれかに記載の戸袋構造。
【発明の詳細な説明】
【技術分野】
【０００１】
この発明は、上方部材と下方部材との間に設けられ、引込み戸を収納部に収納する戸袋構造に関する。
【背景技術】
【０００２】
従来より、建物の内部において、出入り口を開閉するための建具として、引込み戸が多用されている。この引込み戸を開けたときに、引込み戸を収納させる構造として、戸袋が知られている。
【０００３】
特開２００８−７５４２１号公報（特許文献１）、特開２００６−２２５９９８号公報（特許文献２）、特開２００６−７０４８２号公報（特許文献３）には、引込み戸の戸袋が開示されている。このような戸袋において、戸袋を構成する中方立と石膏ボードとは、突き付け構造であることが開示されている。
【先行技術文献】
【特許文献】
【０００４】
【特許文献１】特開２００８−７５４２１号公報
【特許文献２】特開２００６−２２５９９８号公報
【特許文献３】特開２００６−７０４８２号公報
【発明の概要】
【発明が解決しようとする課題】
【０００５】
中方立は、鴨居材の中央位置に配置されるため、強度を出す必要がある。しかしながら、戸袋部の壁厚が限られた中で、戸袋部の強度を出すことは困難であった。
【０００６】
本発明は、上記のような課題を解決するためになされたものであって、その目的は、施工精度の向上と強度を確保することが可能な戸袋構造を提供することである。
【課題を解決するための手段】
【０００７】
この目的のため、本発明の一態様に係る戸袋構造は、上方部材と下方部材との間に設けられ、引込み戸を収納部に収納する。戸袋構造は、上端部が上方部材に当接し、下端部が下方部材に当接して、上下方向に延び、収納部を介して対向して設けられる一対の中方立と、上方部材と下方部材との間に配置され、収納部の側壁部を形成する一対の板材とを備える。中方立のうち少なくとも一方は、収納部に面する内壁と、収納部から板材の厚み方向に離れて設けられる外壁と、内壁と外壁とをつなぐ端壁とを含み、内壁と外壁との間に、引込み戸の引き出し方向に見て板材の前方側の端部を受け入れる開口を有し、開口が板材の端部を受け入れた状態では、中方立の内壁、外壁および端壁は、板材の前方側端部の内面、外面および端面とそれぞれ対面する。
【０００８】
好ましくは、中方立の外壁は、外壁から内壁に向かって延びる折り曲げ壁を含み、開口の幅は、内壁と折り曲げ壁との間の間隔によって決定される。
【０００９】
好ましくは、開口の幅と、板材の厚みとは、略同一である。
【００１０】
好ましくは、中方立は、金属材料で形成される。
【００１１】
好ましくは、一対の中方立のうち他方は、一対の板材のうちの他方を受け入れるものであり、断面視矩形形状の第１部材と、第１部材に固定され、他方の板材を受け入れる断面視コの字形状の第２部材とを備える。
【００１２】
好ましくは、第１部材は、木製材料で形成され、第２部材は、金属材料で形成される。
【発明の効果】
【００１３】
本発明によれば、施工精度の向上と強度を確保することが可能な戸袋構造を提供することができる。
【図面の簡単な説明】
【００１４】
【図１】本発明の実施の形態に係る戸袋構造を用いた引込み戸を模式的に示す図である。
【図２】図１のＩＩ−ＩＩ線に沿う断面図である。
【図３】本発明の実施の形態に係る戸袋構造を示す分解斜視図である。
【図４】図２の一部分を拡大して示す断面図である。
【図５】中方立と板材と固定部材との関係を示す模式図である。
【図６】図４の矢印ＶＩで示す方向から見た図である。
【図７】中方立を取り出して示す斜視図である。
【図８】本発明の実施の形態１における中方立の変形例を示す斜視図である。
【図９】本発明の実施の形態２に係る戸袋構造を示す図２に対応する断面図である。
【図１０】本発明の実施の形態２に係る戸袋構造の一部分を示す分解斜視図である。
【図１１】フレーム受入具を取り出して示す斜視図である。
【発明を実施するための形態】
【００１５】
本発明の実施の形態について図面を参照しながら詳細に説明する。なお、図中同一または相当部分には同一符号を付してその説明は繰り返さない。
【００１６】
＜実施の形態１＞
図１〜３を参照して、本実施の形態に係る戸袋構造１について説明する。図１において矢印Ｌ１で示す戸袋構造１の高さを上下方向とする。図１において矢印Ｌ２で示す戸袋構造１の横幅を左右方向という。特に、図２において矢印Ａで示す方向を引込み戸９の引き出し方向とする。図２において矢印Ｌ３で示す戸袋構造１の厚さを奥行き方向とする。なお、図３において、引込み戸９と板材１０の図示を省略している。
【００１７】
本実施の形態に係る戸袋構造１は、出入り口が開けられるときに引込み戸９が収納される構造であり、上方部材２と下方部材３との間に設けられる。上方部材２は、たとえば鴨居材であり、天井に直接的に設けられる部材であってもよいし、別部材を介して間接的に天井に設けられる部材であってもよい。また、下方部材３は、床材そのものであってもよいし、床材とは異なる部材、たとえば敷居材であってもよい。なお、引込み戸９のレールは、上方部材２に取り付けられていてもよいし、下方部材３に取り付けられていてもよいし、両方の部材２，３に取り付けられていてもよい。
【００１８】
本実施の形態に係る戸袋構造１は、上方部材２と下方部材３との間に設けられ、引込み戸９が収納される収納部６を有する。上方部材２および下方部材３の左右方向の両端側には、上方部材２を支持する１対の方立４，５が上下方向に設けられている。引込み戸９は、図２において、破線で示す左側位置と実線で示す右側位置との間をスライド移動し、引込み戸９が左側に移動すると出入り口が開けられ、引込み戸９が右側に移動すると出入り口が閉められた状態となる。
【００１９】
方立４は、引込み戸９の引き出し方向に見て先端側に位置し、方立５は、引込み戸９の引き出し方向に見て後端側に位置する。上方部材２は、出入り口側に形成される幅広部７と、収納部６側に形成される幅狭部８とを含んでいてもよい。幅広部７の奥行き方向の幅は、幅狭部８の幅よりも大きく形成される。上方部材２の左右方向の中央部、つまり幅広部７と幅狭部８との境界にあたる一対の角部には、後述する一対の中方立２０が配置される。
【００２０】
戸袋構造１は、一対の中方立２０と、一対の中方立２０に受け入れられる一対の板材１０とを備える。戸袋構造１の高さ寸法Ｌ１は、２７００ｍｍ以下であり、望ましくは２４００ｍｍ以下である。さらに、戸袋構造１の横幅Ｌ２は、たとえば、６００〜１５００ｍｍである。戸袋構造１の厚さＬ３は、たとえば、６０〜１３０ｍｍである。
【００２１】
次に、板材１０について説明する。板材１０は、上方部材２と下方部材３との間に配置され、収納部６の側壁部を形成する。一対の板材１０は、上方部材２と下方部材３との間に配置され、上下方向に延び、収納部６を介して対向して設けられる。板材１０は、厚みを有する正面視矩形形状である。図５に示すように、板材１０の厚みＷ１は、たとえば、１０〜４０ｍｍである。
【００２２】
板材１０は、ある程度の強度を有する板状のものであればよく、たとえば、強化石膏ボードである。板材１０として強化石膏ボードを用いることで、板材１０の厚さＷ１を薄くすることができる。これにより、戸袋構造１全体の奥行き方向の厚みを薄くすることが可能であり、スペースが限られた住宅などで有効に利用することができる。なお、板材１０の外面１３、つまり外方側の全面には、たとえば壁紙が取り付けられていてもよい。
【００２３】
図４〜７をさらに参照して、中方立２０について説明する。図４は、図２の一部分を拡大して示す断面図であり、図５は、板材１０と中方立２０と固定部材３０との寸法関係を示す模式図であり、図６は、図４の矢印Ｖで示す方向から見た図であり、図７は、中方立２０を取り出して示す斜視図である。一対の中方立２０は、上端部が上方部材２に当接し、下端部が下方部材３に当接して、上下方向に延び、収納部６を介して対向して設けられる。中方立２０は、たとえば金属材料で形成され、具体的にはスチールで形成される。中方立２０の厚みは、たとえば１〜３ｍｍである。
【００２４】
中方立２０は、収納部６に面する内壁２１と、収納部６から板材１０の厚み方向に離れて設けられる外壁２３と、内壁２１と外壁２３とをつなぐ端壁２２とを含む。さらに、中方立２０の外壁２３は、外壁２３から内壁２１に向かって延びる折り曲げ壁２４を含んでもよい。具体的には、中方立２０の内壁２１と端壁２２とは垂直に連結され、端壁２２と外壁２３とは垂直に連結され、外壁２３と折り曲げ壁２４とは垂直に連結されていてもよい。また、内壁２１の横幅は、外壁２３の横幅よりも大きい。なお、端壁２２および外壁２３の角部と、外壁２３および折り曲げ壁２４の角部は、それぞれ面取りされていてもよい。また、端壁２２の長さは、巾木の厚みにより決定されてもよい。
【００２５】
図４，５を特に参照して、中方立２０は、内壁２１と折り曲げ壁２４との間に、開口２５を有する。この開口２５は、引込み戸９の引き出し方向に見て板材１０の前方側の端部を受け入れる。この場合、中方立２０の開口２５の幅Ｗ２は、内壁２１と折り曲げ壁２４の間の間隔によって決定される。板材１０の厚みＷ１と、開口２５の幅Ｗ２とは、略同一である。なお、中方立２０の外方側の全面には、樹脂塗装がされていてもよく、たとえば木目調のシールが貼られていてもよい。
【００２６】
上述したように、板材１０の端部は、中方立２０の開口２５に受け入れられる。つまり、中方立２０の開口２５が板材１０の端部を受け入れた状態では、中方立２０の内壁２１、折り曲げ壁２４および端壁２２は、板材１０の前方側端部の内面１１、外面１３および端面１２とそれぞれ対面する。具体的には、中方立２０の内壁２１と板材１０の内面１１とは当接し、中方立２０の折り曲げ壁２４と板材１０の外面１３とは当接する。このとき、中方立２０の端壁２２と板材１０の端面１２との間には隙間１４が設けられていてもよい。
【００２７】
このような構造とされることにより、板材１０は、中方立２０の内壁２１と折り曲げ壁２４で固定されているため、面外方向への変形を拘束することになる。これにより、面外方向からの力が加わっても、板材１０の撓みを抑制することができ、戸袋構造１の剛性を保つことができる。したがって、簡易な方法であるにもかかわらず、戸袋構造１の品質を向上させることができる。
【００２８】
図３に示すように、上方部材２の幅狭部８は、板材１０の取り付け面との間に、薄板８１を含んでいてもよい。薄板８１の厚みは、内壁２１の厚みと同一である。これにより、中方立２０の上端を上方部材２に取り付けたときに、中方立２０の内壁２１が板材１０に接する面と、薄板８１が板材１０に接する面とは、面一になる。
【００２９】
図４〜６を参照して、固定部材３０について説明する。固定部材３０は、厚みが１〜２ｍｍ程度であり、鋼材などで形成されている。固定部材３０は、一対の中方立２０の間に配置されている。つまり、固定部材３０は、一対の中方立２０の内壁２１に挟まれて配置されている。固定部材３０は、断面視コの字形状であり、下方部材３に取り付けられるベース部３１と、ベース部３１から立ち上がる一対の立ち上がり部３２とを含む。具体的には、一対の立ち上がり部３２は、ベース部３１の両端部から垂直に立ち上がる形状である。
【００３０】
固定部材３０のベース部３１は、下方部材３に対して取り付けられている。さらに、立ち上がり部３２は、中方立２０の内壁２１に固定され、内壁２１と平行に設けられる。ベース部３１の奥行き方向の長さＷ３と、一対の中方立２０の内壁２１間の間隔Ｗ４とは、同一である。これにより、上下方向における中方立２０の間の間隔を一定に保つことができるため、中方立２０を下方部材３に対して垂直に取り付けることができ、中方立２０の固定精度が向上する。
【００３１】
図４〜６を参照して、レール部材４０について説明する。レール部材４０は、厚みが１〜２ｍｍ程度であり、鋼材などで形成されている。レール部材４０は、引込み戸９の引き出し方向に見て固定部材３０の後方側に配置されている。レール部材４０は、断面視コの字形状であり、下方部材３に取り付けられるベース部４１と、ベース部４１から立ち上がる一対の立ち上がり部４２とを含む。具体的には、一対の立ち上がり部４２は、ベース部４１の両端部から垂直に立ち上がる形状である。
【００３２】
レール部材４０のベース部４１は、下方部材３に対して取り付けられている。さらに、立ち上がり部４２は、板材１０の内面１１に固定され、内面１１と平行に設けられる。中方立２０とレール部材４０とを下方部材３に取り付けた状態では、中方立２０の内壁２１が板材１０に当接する面と、レール部材４０の立ち上がり部４２が板材１０に当接する面とは、面一である。
【００３３】
次に、図３を参照して、戸袋構造１の施工手順について説明する。
【００３４】
まず、下方部材３に方立４，５を固定し、方立４，５の上端部に上方部材２を固定させる。さらに、上方部材２の左右方向中央部に、一方の中方立２０を固定させる。このとき、中方立２０の内壁２１および端壁２２で形成される角部と、上方部材２の幅狭部８および幅広部７で形成される角部とを当接させて、中方立２０の内壁２１と、上方部材２の幅狭部８とをネジ２８で固定する。
【００３５】
次に、固定部材３０を下方部材３に固定する。このとき、下方部材３と固定部材３０のベース部３１とをネジ３３で固定する。中方立２０の内壁２１と、固定部材３０の立ち上がり部３２とをネジ２６で固定する。
【００３６】
さらに、先に取り付けた中方立２０と対向するように、他方の中方立２０を配置させる。先に取り付けた中方立２０と同様の要領で、他方の中方立２０を上方部材２および固定部材３０にネジ２６，２６で固定する。引込み戸９の引き出し方向に見て固定部材３０の後端部側、すなわち、固定部材３０と方立５との間に、レール部材４０を配置して、レール部材４０のベース部４１と下方部材３とをネジ４３で固定する。
【００３７】
最後に、板材１０を中方立２０の開口２５に挿入して固定する。このとき、板材１０の取り付け面は、中方立２０の内壁２１、薄板８１、レール部材４０の立ち上がり部４２および方立５であり、すべて面一である。つまり、これらの面は、同一平面上に位置する。これらの面に接着剤を塗布し、板材１０を固定する。
【００３８】
このような構造とされることにより、中方立２０の開口２５に板材１０の端部を差し込むという簡単な作業ですむため、施工時間を短縮することができる。さらに、板材１０は複数の部材に固定されることになるが、それらはすべて面一であるため、高度な技術や、慎重な作業を行わずとも板材１０の施工精度を上げることができる。
【００３９】
なお、板材１０を中方立２０に取り付けた際には、中方立２０の端壁２２と板材１０との間には、隙間１４が形成されることが望ましい。この隙間１４により、板材１０の寸法の誤差を吸収することが可能である。さらに、板材１０の角部を面取りしておくことが望ましい。これにより、開口２５に板材１０を挿入しやすくなる。なお、板材１０を中方立２０の開口２５に挿入した後に、板材１０と、上方部材２，立ち上がり部４２，方立５とをネジ（図示せず）で固定してもよい。
【００４０】
＜実施の形態２＞
上記実施の形態１では、収納部６を介して同じ形状の中方立２０が一対設けられた。しかし、本実施の形態では、中方立の形状が異なる。
【００４１】
図９〜１１を参照して、本実施の形態に係る戸袋構造１Ａについて説明する。図９は、本実施の形態に係る戸袋構造１Ａを示す断面図であり、図１０は、本実施の形態における中方立２００側の部分を示す分解斜視図であり、図１１は、フレーム受入具を取り出して示す斜視図である。図１０において、化粧材１２０，１２１の図示を省略している。
【００４２】
本実施の形態に係る戸袋構造１Ａは、収納部６を介して、実施の形態１の中方立２０と、断面視矩形形状の中方立２００とを備える。以下の説明において、実施の形態１と同一の説明は、省略する。
【００４３】
中方立（第１部材）２００は、断面矩形形状であり、たとえば木製材料で形成される。中方立２００には、収納部６の側壁部を形成する戸袋パネル１００と、戸袋パネル１００を受け入れるフレーム受入具（第２部材）９０とが取り付けられている。戸袋パネル１００は、フレーム受入具９０を介して、中方立２００に間接的に取り付けられている。
【００４４】
図１０を参照して、収納部６の側壁部を形成する戸袋パネル１００は、木製材料で形成される縦材１１１と、金属材料で形成され、縦材１１１に重ね合わされる補強材１１０とを含んでいる。補強材１１０は、上下方向に延びる矩形形状であり、中空形状の鋼製スタッドである。補強材１１０のフレーム受入具９０に対向する面と、縦材１１１に対向する面とには、断面矩形の溝が形成されている。なお、補強材１１０と縦材１１１とは、ネジ１１２が所定間隔で打ち込まれることにより、一体的に形成されていてもよい。また、引込み戸９を収納する収納部６側の全面には、化粧材１２０が取り付けられ、戸袋構造１の外側の全面には、化粧材１２１が取り付けられている。
【００４５】
図１１を参照して、フレーム受入具９０は、たとえば金属材料で形成され、具体的にはスチールで形成される。フレーム受入具９０は、補強材１１０を受け入れる形状を有し、中方立２００に固定される。フレーム受入具９０は、断面略コの字形状であり、立壁９１と、立壁９１の両端から補強材１１０を受け入れる方向に突出する突出壁９２，９３とを含む。突出壁９２，９３の下端の間には、底壁９４が設けられている。このような構造とされることで、フレーム受入具９０の断面略コの字形状の部分に補強材１１０を挿入するだけでよいため、高度な技術や慎重な作業を行わずとも中方立２００の固定精度を上げることができ、施工時間も短縮することができる。
【００４６】
このような構造とされることにより、中方立２００側の奥行方向の幅を、中方立２０側の奥行方向の幅よりも厚くすることができる。つまり、本実施の形態に係る戸袋構造を用いることで、戸袋構造の側壁の厚みを異ならせることが可能である。たとえば、手摺やトイレットペーパーホルダーなどは、厚みを有する壁に取り付けることが望ましい。したがって、本実施の形態に係る戸袋構造は、たとえば、廊下とトイレの境目に引込み戸を設ける場合に有効に利用することができる。この場合、トイレ側に中方立２００、廊下側に中方立２０が面するように配置させるとよい。
【００４７】
なお、上記実施の形態１において、中方立２０の外壁２３は、外壁２３から内壁２１に向かって延びる折り曲げ壁２４を含むとしたが、外壁２３は折り曲げ壁２４を含まなくてもよい。図８を参照して、板材１０の端部を受け入れる開口２５Ａは、内壁２１Ａと外壁２３Ａとの間に設けられる。このとき、中方立２０Ａの内壁２１Ａ、外壁２３Ａおよび端壁２２Ａは、板材１０の前方側端部の内面１１、外面１３および端面１２とそれぞれ対面する。
【００４８】
また、上記実施の形態２において、戸袋パネル１００は、縦材１１１と補強材１１０とから構成され、補強材１１０がフレーム受入具９０に受け入れられるとしたが、限定的ではない。戸袋パネル１００は、たとえば木製材料、金属材料、石膏ボードで形成されてもよい。
【００４９】
また、本実施の形態２における中方立２００は、溝を有さない断面矩形であるとしたが、これに限定されない。中方立２００は、溝を有する断面コの字形状や、断面Ｌ字形状であってもよい。
【００５０】
また、上記各実施の形態において、固定部材３０とレール部材４０とは、下方部材３に取り付けられるとしたが、上方部材２に取り付けられていてもよい。
【００５１】
また、上記各実施の形態において、引込み戸が１枚である場合を説明したが、引込み戸は、複数枚設けられていてもよい。
【００５２】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００５３】
１  戸袋構造、２  上方部材、３  下方部材、４，５  方立、６  収納部、７  幅広部、８  幅狭部、９  引込み戸、１０  板材、１１  内面、１２  端面、１３  外面、１４  隙間、２０  中方立、２１  内壁、２２  端壁、２３  外壁、２４  折り曲げ壁、２５  開口、２６，２８  ネジ、３０  固定部材、３１  ベース部、３２  立ち上がり部、３３  ネジ、４０  レール部材、４１  ベース部、４２  立ち上がり部、４３  ネジ、８１  薄板、９０  フレーム受入具（第２部材）、９１  立壁、９２，９３  突出壁、９４  底壁、１００  戸袋パネル、１１０  補強材、１１１  縦材、１１２  ネジ、１２０，１２１  化粧材、２００  中方立（第１部材）。
【図１】
0006670557.tif 000002
【図２】
0006670557.tif 000003
【図３】
0006670557.tif 000004
【図４】
0006670557.tif 000005
【図５】
0006670557.tif 000006
【図６】
0006670557.tif 000007
【図７】
0006670557.tif 000008
【図８】
0006670557.tif 000009
【図９】
0006670557.tif 000010
【図１０】
0006670557.tif 000011
【図１１】
0006670557.tif 000012